(57)【要約】      （修正有）【課題】敷布団敷板装置として使用することができるとともに室内で布団類干しとして使用することができる布団類干し兼用敷布団敷板装置であって、不使用時にはコンパクトに収納可能な敷布団敷板装置を提供する。【解決手段】支え部と背もたれ部と座部を有する布団類干し兼用敷布団敷板装置であって、前記支え部と背もたれ部と座部はすのこ状敷板であり、前記支え部と背もたれ部は第１連絡部３０で接続され、当該背もたれ部と座部は第２連絡部５０と接続され、前記第１連絡部３０をやま折りにし、背もたれ部に配置された支持部を前記支え部に係合することによって、前記支え部と背もたれ部を側面視逆Ｖ字状にし、前記第２連絡部５０をたに折りにすることによって、座部を回動させることにより前記布団類干し兼用敷布団敷板装置をベンチとして使用することを特徴とする。【選択図】図２
0003182080.tif 000002
【実用新案登録請求の範囲】
【請求項１】
すくなくとも支え部と背もたれ部と座部を有する布団類干し兼用敷布団敷板装置であって、前記支え部と背もたれ部と座部はすのこ状敷板であり、前記支え部と背もたれ部は第１連絡部で接続され、当該背もたれ部と座部は第２連絡部と接続され、前記第１連絡部をやま折りにし、背もたれ部に配置された支持部を前記支え部に係合することによって、前記支え部と背もたれ部を側面視逆Ｖ字状にし、前記第２連絡部をたに折りにすることによって、座部を回動させることにより前記布団類干し兼用敷布団敷板装置をベンチとして使用することを特徴とする布団類干し兼用敷布団敷板装置。
【請求項２】
前記背もたれ部に配置されている支持部であって、支え部に係合する係合手段を前記支持部に複数有することを特徴とする請求項１記載の布団類干し兼用敷布団敷板装置。
【請求項３】
前記座部の他方に帯状部を介して補助部を配置し、ベンチとして使用する際に座部の下に補助部を重ねることができることを特徴とする請求項１または２記載の布団類干し兼用敷布団敷板装置。
【請求項４】
前記各連絡部を、柔軟性を有する帯状にしたことを特徴とする請求項１〜３いずれか１項記載の布団類干し兼用敷布団敷板装置。
【考案の詳細な説明】
【技術分野】
【０００１】
本考案は、敷布団の下に敷いて使用され、かつまた布団類干し機能およびベンチ装置としての機能を有する敷板装置に関するものである。
【背景技術】
【０００２】
木材を用いてすのこ状に形成した、敷布団敷と布団類干しを兼ねているものは知られており、敷布団敷として使用する場合は各敷板を結合して１台の敷布団敷とし、布団類干しとして使用する場合は１台の敷布団敷を２つに分離し、そのそれぞれを別々の布団類干しとするものが知られている。特に特開２００５−６６２４２号公報において、布団類を敷く台として使用する通気性の装置であって、１組の敷布団類に対して、結合して使用する２個１対のすのこ状の敷板を有し、各敷板は、敷布団類を敷くためのすのこ部と、すのこ部を立てて布団類干しに利用可能にするための支え脚部とから成り、２個１対の敷板を分離可能に結合しておくための結合手段を備えて成る布団類干し兼用敷布団敷板装置なる発明が知られている。
【０００３】
上記発明を、布団敷として使用する場合において、その布団敷の下部に空気を流入させることによって、湿気を低下させ快適な寝心地を提供するものである。一方で、布団を干す場合に防犯上の理由からなるべく室内に干したいという要望があり、上記発明にかかる前記布団類干し兼用敷布団敷板装置を使用すれば、室内において安全に布団を干すことができ、特に単身者に好適である。
【０００４】
しかしながら、前記布団類干し兼用敷布団敷板装置を使用して室内で布団類を干す場合に、前記布団敷板装置は、室内の大部分を占有してしまうためにその室内を利用することがほとんどできなくなってしまう場合がある。特にいわゆるワンルームマンションのような単身者用の住居においては、寝室とリビングルームを兼用しているので、前記布団類干し兼用敷布団敷板装置を使用した場合に、その使用者の居場所が無いという問題が生じる。
【０００５】
【特許文献１】特開２００５−６６２４２号公報
【考案の開示】
【考案が解決しようとする課題】
【０００６】
本考案は前記の点に着目してなされたもので、その課題は、敷布団敷板装置として使用することができるとともに室内で布団類干しとして使用する場合においても、当該室内を、使用者がリビングルームとして使用することができる布団類干し兼用敷布団敷板装置を提供することである。また、不使用時にはコンパクトに収納可能な敷布団敷板装置を提供することである。
【課題を解決するための手段】
【０００７】
前記の課題を解決するため、本考案は、すくなくとも支え部と背もたれ部と座部を有する布団類干し兼用敷布団敷板装置であって、前記支え部と背もたれ部と座部はすのこ状敷板であり、前記支え部と背もたれ部は第１連絡部で接続され、当該背もたれ部と座部は第２連絡部と接続され、前記第１連絡部をやま折りにし、背もたれ部に配置された支持部を前記支え部に係合することによって、前記支え部と背もたれ部を側面視逆Ｖ字状にし、前記第２連絡部をたに折りにすることによって、座部を回動させることにより前記布団類干し兼用敷布団敷板装置をベンチとして使用することができるという手段を講じたものである。
【０００８】
本考案の布団類干し兼用敷布団敷板装置は、室内において布団干しとして使用しつつ、当該装置の座部に座ることによって、ベンチとして使用することができる。従って、布団類干し兼用敷布団敷板装置を使用して、室内において布団を干していたとしても、使用者はその装置をベンチとして使用できるので、室内に、居場所が無いという状態を、解消することができる。
【０００９】
また、本考案の布団類干し兼用敷布団敷板装置は、敷布団敷として使用している状態において、布団類にこもる湿気を発散させることができるように、すのこ状に形成したものである。ここで、すのことは竹や板などをすかして貼ったものをいい、板等を張設する場合に隙間が生じていることが好ましい。また、湿気を吸収することができるように木材を使用することができるが、その場合は、桐材あるいはヒノキ材を使用することが好ましい。また本敷板装置は、原則として一組の布団類について使用するものであるが、布団類の寸法はシングルサイズからキングサイズ等さまざまなバリエーションがあるためそれに対応することが好ましい。なおここで布団類というのは掛け布団、敷布団はもとより毛布、タオルケット、肌掛け等を含むものである。
【００１０】
前記の課題を解決するため、本考案は、前記背もたれ部に配置されている支持部であって、支え部に係合する係合手段を前記支持部に複数有するという手段を講じたものである。布団干しとして使用しつつベンチとして使用する場合に、支え部に係合する係合手段を支持部に複数有するので、ベンチとして使用する際にリクライニングする角度を使用者の好みに応じて調節することができる。また、そのリクライニングする角度を最大にすれば、逆Ｖ字状の角度を拡げられるので、布団を干す場合に、より湿気を発散させることができるので好適である。
【００１１】
また、本考案は、前記座部に第３連絡部を介して補助部を配置し、ベンチとして使用する際に座部の下に補助部を重ねるという手段を講じたものである。このような構成を有するので、ベンチとして使用した場合に、使用者が座部に座った状況において、その使用者の脚部が若干持ち上げられるので快適な座り心地が実現できる。
【００１２】
また、本考案は、前記各連絡部を、柔軟性を有する帯状にするという手段を講じたものである。連絡部について柔軟性を有する帯状のものにすれば、連絡部に使用者の指等が挟まることが無いために安全性に寄与することができる。特に、子供の事故を回避することができる。
【考案の効果】
【００１３】
本考案は、以上の如く構成されるため、敷布団敷板装置として使用することができるとともに、室内で布団類干しとして使用することができると同時にベンチとして使用することができる。従って、室内において本考案に係る装置を布団干しとして使用しているという状況において、使用者がその座部に座ることができるので、ベンチとしての機能を奏することができ当該使用者がその室内に居場所がなくなるということはない。また、本考案に係る布団類干し兼用敷布団敷板装置を、布団干しとして使用している場合であっても、その場所がいわゆるデッドスペース化することが少ない上記布団類干し兼用敷布団敷板装置を提供することができる。また、収納時にはきわめてコンパクトに折り畳むことができる。
【考案を実施するための最良の形態】
【００１４】
以下図示の実施形態を参照して本考案をより詳細に説明する。図１は、布団類干し兼用敷布団敷板装置の斜視図である。図２は、ベンチの状態を表した斜視図である。図３は、ベンチの状態における底面図である。図４は、支持部の平面図である。図５は、ベンチにしてリクライニングした状態の断面図である。図６は、支持部を背もたれ部に配置した状態の断面図である。図７は、布団干しの状態を表した斜視図である。図８は、収納状態を表した斜視図である。図９は、ベンチにして布団を掛けた状態を表した斜視図である。図１０は、布団干しにして布団を掛けた状態を表した斜視図である。図１１は、敷布団敷板装置にして布団を敷いた状態を表した斜視図である。
【００１５】
布団類干し兼用敷布団敷板装置１０は、布団類を敷くためのものであるため布団類とほぼ同じ大きさである。好ましい実施例においては、布団類干し兼用敷布団敷板装置１０は、支え部２０と背もたれ部４０と座部６０と補助部９０を有する。支え部２０と背もたれ部４０と座部６０と補助部９０はともにすのこ状に形成することができる。すのこ状とは、上記のとおり竹や板などをすかして貼ったものをいい、板等を張設する場合に隙間が生じていることが好ましい。材質には限定はないが特に、桐材または、ヒノキ材を使用することができる。特に国内産のヒノキを使用すれば、地産地消の観点から好ましい。また、補助部９０について、それを布団類干し兼用敷布団敷板装置１０に配置することは任意であり省略することもできる。
【００１６】
支え部２０は、複数の横材２１と複数の縦材２２を、くぎ、ネジなどの接続具ｘを用いて接続されている。また各縦材２２の一方において連絡部３０の一方が接続されている。すなわち、各縦材２２の一方において、第１連絡部３０の一方を前記縦材２２と横材２１で挟み、そのうえからくぎ、ネジなどの接続具ｘを用いて接続されている。また、複数の横材２１の端面２１ａと、外側に配置されている縦材２２の側面２２ａとは面一であり、横材２１の端面２１ａが、外側に配置されている縦材２２の側面２２ａから突出しないように構成している。また、外側に配置されている横材２１′の側面２１′ｂから縦材２２の端面２２ｂが突出しないように構成している。従って、布団類を干す際に当該布団類を支え部２０に引っ掛けることが少ない。また、支え部２０における複数の横材２１と複数の縦材２２はそれらの角を面とり加工している。これによって布団類を干す場合に、それらの角に引掛けることによる破損および、使用者のけがを防ぐことができる。
【００１７】
背もたれ部４０も同様に、複数の横材４１と複数の縦材４２を、くぎ、ねじなどの接続具ｘを用いて接続されている。また、各縦材４２の一方において第１連絡部３０の他方が接続されている。すなわち、各縦材４２の一方において第１連絡部３０の他方を前記縦材４２と横材４１で挟み、そのうえからくぎ、ネジなどの接続具ｘを用いて接続されている。従って、第１連絡部３０は、その一方が支え部２０と接続され、他方が背もたれ部４０と接続されている。
【００１８】
また、各縦材４２の他方において第２連絡部５０が接続されている。すなわち、各縦材４２の他方において第２連絡部５０を前記縦材４２と横材４１で挟み、そのうえからくぎ、ネジなどの接続具ｘを用いて接続されている。従って、第２連絡部５０は、その一方が背もたれ部４０と接続され、他方が後述する座部６０と接続されている。
【００１９】
また、複数の横材４１の端面４１ａと、外側に配置されている縦材４２の側面４２ａは面一であり、横材４１の端面４１ａが縦材４２の側面４２ａから突出しないように構成している。従って、布団類を干す際に当該布団類を背もたれ部４０に引っ掛けることが少ない。また、背もたれ部４０における複数の横材４１と複数の縦材４２はそれらの角を面とり加工している。これによって布団類を干す場合に、それらの角に引掛けることによる破損および、使用者のけがを防ぐことができることは支え部２０と同様である。
【００２０】
上記のとおり前記支え部２０と背もたれ部４０は第１連絡部３０で連結されているが、この第１連絡部３０は、柔軟性を有する帯状のもので、丈夫な布類で構成されている。従って、柔軟性を有する帯状のものであるので、後述するように、布団類干し兼用敷布団敷板装置１０を、収納状態から布団敷板に展開した状態にした場合、あるいは、ベンチ状態に転開した場合において、その第１連絡部３０に指を挟んだとしてもけがをする可能性は極めて少ないものである。
【００２１】
また、上記のとおりその第１連絡部３０は布類で構成することができるが、その第１連絡部３０は特にアクリル等の繊維を使用することが好ましい。尚、後述する第２連絡部５０および第３連絡部８０も同様である。さらに第１連絡部３０は布類で構成したものを２重に配置しても好ましい。この第１連絡部３０を補強するためである。
【００２２】
ここで、第１連絡部３０は、後述するように、当該布団類干し兼用敷布団敷板装置１０をベンチとして使用する場合に、使用者が背もたれ部４０によりかかった際に支え部２０が使用者の体を支えるが、この使用者の体を支えた状態において、支え部２０と第１連絡部３０と背もたれ部４０と支持部７０は、断面視において３角形を呈する（図５参照）。しかしながら、この第１連絡部３０の強度が十分でないと、支え部２０と第１連絡部３０と背もたれ部４０と支持部７０がなす上記形状を保つことができず、使用者がベンチに腰掛けた際に体を支えることができない恐れがある。従って、第１連絡部３０を布類で構成し、その布類で構成したものを上記のとおり２重に配置して補強することが好ましく、それによって、さらに耐久性を向上させることができる。
【００２３】
座部６０についても、複数の横材６１と複数の縦材６２を、くぎ、ネジなどの接続具ｘを用いて接続されている。また各縦材６２の一方において第２連絡部５０の他方と接続されている。すなわち、各縦材６２の一方において第２連絡部５０の他方を前記縦材６２と横材６１で挟み、そのうえからくぎ、ネジなどの接続具ｘを用いて接続されている。従って、座部６０における複数の縦材６２の一方において第２連絡部５０の他方と接続され、その第２連絡部５０の一方が、背もたれ部４０の他方と接続されている。
【００２４】
また、複数の横材６１の端面６１ａと、外側に配置されている縦材６２の側面６２ａは面一であり、横材６１の端面６１ａが縦材６２の側面６２ａから突出しないように構成されている。従って、布団類を干す際に当該布団類を座部６０に引っ掛けることが少ない。また、座部６０における複数の横材６１と複数の縦材６２はそれらの角を面とり加工している。これによって布団干す場合に、それらの角に引掛けることによる破損および、使用者のけがを防ぐことができることは支え部２０および背もたれ部４０と同様である。
【００２５】
補助部９０は、横材９１と複数の縦材９２を、くぎ、ネジなどの接続具ｘを用いて接続されている。補助部９０は座部６０の他方と第３連絡部８０で連結することができる。すなわち、各縦材９２の一方において第３連絡部８０の他方を前記縦材９２と横材９１で挟み、そのうえからくぎ、ネジなどの接続具ｘを用いて接続されている。また、座部６０における複数の縦材６２に第３連絡部８０の一方が接続され、その第３連絡部８０の他方が、補助部９０と接続されている。また、横材９１の端面９１ａと、外側に配置されている縦材９２の側面９２ａは面一であり、横材９１の端面９１ａが前記縦材９２の側面９２ａから突出しないように構成している。また、外側に配置されている横材９１の側面９１ｂから縦材９２の端面９２ｂが突出しないように構成している。従って、布団類を干す際に当該布団類を補助部９０に引っ掛けることが少ない。また、補助部９０における横材９１と複数の縦材９２はそれらの角を面とり加工している。それらの角に引掛けることによる布団類の破損および、使用者のけがを防ぐことができることは支え部２０および背もたれ部４０と同様である。
【００２６】
支持部７０については、背もたれ部４０における縦材４２、４２に孔４３、４３を穿ち、この孔４３、４３に支持部７０の一端部７１、７１を回動可能に挿入する。支持部７０は、係合部７２を複数有する。この係合部７２は、後述するように、支え部２０の横材２１′と係合し、支え部２０と背もたれ部４０がなす角度を規定する。すなわち、背もたれ部４０の傾きを規定する。従って、複数の係合部７２のうち、どの係合部７２に係合させるかによって、背もたれ部４０の傾きが決定され、使用者の好みに応じて、背もたれ部４０をリクライニングすることができる。すなわち、図５のように、支持部７０は係合部７２を複数有するものであり、その複数の係合部７２を、それぞれ７２（ａ）、７２（ｂ）、７２（ｃ）とすると、たとえば、係合部７２（ａ）に支え部２０の横材２１′を係合させれば、背もたれ部４０の傾斜が緩くなり、また、前記横材２１′を係合部７２（ｂ）、係合部７２（ｃ）の順で係合させれば、背もたれ部４０の傾斜が順に急となるように変動させることができるので、本考案に係る布団類干し兼用敷布団敷板装置１０をベンチとして使用した場合にリクライニングすることができる。
【００２７】
布団類干し兼用敷布団敷板装置１０を敷布団敷きとして使用している状態からベンチにする場合は、支え部２０と背もたれ部４０に接続されている第１連絡部３０をやま折りにし、背もたれ部４０に配置された支持部７０の係合部７２を前記支え部２０の下端に配置されている横材２１′に係合することによって、支え部２０と第１連絡部３０と背もたれ部４０と支持部７０は、ほぼ断面視３角形を呈する。また、座部６０は、第２連絡部５０を中心に展開する。すなわちこの場合は第２連絡部５０をたに折りにすることによって、当該座部６０はほぼ水平に配置される。従って、使用者がその座部６０に座り、背もたれ部４０によりかかることができる（図２参照）。
【００２８】
なお、収納状態から、ベンチにする場合には、収納状態（図８参照）において、支え部２０と背もたれ部４０と座部６０と補助部９０を有する布団類干し兼用敷布団敷板装置１０は、支え部２０と背もたれ部４０と座部６０の上方に補助部９０が載置されている状態である。この状態から、補助部９０を下方に回動させ、支え部２０と背もたれ部４０を、第１連絡部３０をやま折りになるように展開して、背もたれ部４０に配置され孔４３、４３に回動可能に一端部７１、７１が挿入された支持部７０を下方に回動させ、その支持部７０の係合部７２を支え部２０の下端に配置されている横材２１′に係合させる。
【００２９】
上記のとおり、その支持部７０の係合部７２を支え部２０の下端に配置されている横材２１′に係合させると、支え部２０と背もたれ部４０と支持部７０は、断面視においてほぼ３角形を呈する。また、敷布団敷きとして使用している状態からベンチにする場合と同様に座部６０は、第２連絡部５０をたに折りになるように展開して、当該座部６０は水平に配置される。従って、使用者がその座部６０に座り、背もたれ部４０によりかかることができる（図２参照）。
【００３０】
また、上記状態において、第３連絡部８０を、やま折りにし、補助部９０を、座部６０の下側に重ねるように配置することができる。その様にすると座部６０の先端が若干持ち上げられた状態になる。この状態で使用者が座部６０に座れば、腰を座部の奥行き部分６５に位置することができ、使用者の姿勢をより安定させることができる。尚、この状態で布団類Ｗあるいはそれに代わるものを敷けば、より座り心地のよいベンチとして活用することができる（図９参照）。
【００３１】
布団類Ｗをかければ布団干しとしても使用することができるが、さらに、その支持部７０の複数の係合部７２のうち、いちばん外側の係合部７２（ａ）を支え部２０の下端部に係合させると、支え部２０と背もたれ部４０がなす角度は開くので、比較的空気が流入しやすくなり布団類を干した場合の効果が向上する（図５、図１０参照）。
【００３２】
支持部７０の係合部７２が、支え部２０の下端に配置されている横材２１′と係合されているが（図５参照）、その係合を解いて、支持部７０を回動させ、再び前記支持部７０を背もたれ部４０に配置する（図６参照）。その状態で、支え部２０と背もたれ部４０と座部６０と補助部９０とをほぼ水平にすれば布団敷板装置として使用することができる（図１、図１１参照）。
【００３３】
本考案の布団類干し兼用敷布団敷板装置１０は、収納時にはきわめてコンパクトに折り畳めるので、保管する場所がいわゆるデッドスペース化することが少なく、さらに室内において布団を干している状態においても、ベンチとして活用することができるので、使用者の居場所が無いといった問題を解消することができる。また、敷布団敷板装置としての機能を果たすことができる。なお、当該装置１０は合成樹脂でも製作することができるが、木材を使用することが林業の活性化を図ることができるため好ましく、より好ましくは軽量であって湿気に適した桐材を使用することが好ましい。また桧材は防虫効果があるので使用することも好ましい。尚、当該装置１０について室外での使用を排除するものでないことは、いうまでもない。
【図面の簡単な説明】
【００３４】
【図１】布団類干し兼用敷布団敷板装置の斜視図。
【図２】ベンチの状態を表した斜視図
【図３】ベンチの状態における底面図
【図４】支持部の平面図
【図５】ベンチにしてリクライニングした状態の断面図
【図６】支持部を背もたれ部に配置した状態の断面図
【図７】布団干しの状態を表した斜視図
【図８】収納状態を表した斜視図
【図９】ベンチにして布団を掛けた状態を表した斜視図
【図１０】布団干しにして布団を掛けた状態を表した斜視図
【図１１】敷布団敷板装置にして布団を敷いた状態を表した斜視図
【符号の説明】
【００３５】
１０  布団類干し兼用敷布団敷板装置
２０  支え部
３０  第１連結部
４０  背もたれ部    
５０  第２連結部      
６０  座部
７０  支持部
８０  第３連結部      
９０  補助部
【図１】
0003182080.tif 000003
【図２】
0003182080.tif 000004
【図３】
0003182080.tif 000005
【図４】
0003182080.tif 000006
【図５】
0003182080.tif 000007
【図６】
0003182080.tif 000008
【図７】
0003182080.tif 000009
【図８】
0003182080.tif 000010
【図９】
0003182080.tif 000011
【図１０】
0003182080.tif 000012
【図１１】
0003182080.tif 000013